(57)【特許請求の範囲】
【請求項１】
ほぼ円形状に形成された凹部に、半径方向に延長する複数の仕切り部を設けて、ほぼ扇状に区画された複数の埋立地を形成し、一個の埋立地を被う屋根部材を周方向に回動自在として、当該屋根部材で各埋立地を個別に被うように構成したことを特徴とする廃棄物処分場。
【請求項２】
上記凹部に、中央台を設け、この中央台と上記凹部の外周の上面とに上記屋根部材を周方向にガイドするガイド部材を設け、上記屋根部材には上記ガイド部材に沿って走行する走行部を設けたことを特徴とする請求項１に記載の廃棄物処分場。
【請求項３】
上記中央台には、上記埋立地から導かれる浸出水を貯留する貯留部を設けたことを特徴とする請求項２に記載の廃棄物処分場。
【請求項４】
上記貯留部は、各埋立地の浸出水を個別に貯留する複数の浸出水貯留部と、これ等浸出水貯留部に貯留された浸出水を一括して貯留する浸出水一括貯留部とから成ることを特徴とする請求項３に記載の廃棄物処分場。
【請求項５】
上記中央台の内に、小径と大径の中空管を２重に立設し、両中空管の間を半径方向に延長する複数の仕切板で区画することで、上記浸出水貯留部を形成し、上記小径の中空管の内径空間で上記浸出水一括貯留部を形成したことを特徴とする請求項４に記載の廃棄物処分場。
【発明の詳細な説明】
【０００１】
【発明の属する技術分野】
本発明は廃棄物処分場、特に円形用地に適する廃棄物処分場に関するものである。
【０００２】
【従来の技術】
従来、廃棄物処分場は、図１４に示すように処分場用地１に、互いに対向するレール２，２を敷設し、このレール２，２に沿って走行する屋根部材３を配置して構成される。
処分場用地１には、複数に区画された埋立予定地１ａ〜１ｄが設けられ、埋立予定地１ａを掘削して埋立地を形成した状態で屋根部材３を被せ、屋根部材３の廃棄物投入口３ａより廃棄物を投入する。この投入過程で、隣地の埋立予定地１ｂを掘削することにより新たな埋立地を形成する。埋立予定地１ａの埋立地が満杯となると、屋根部材３を新たに形成した埋立予定地１ｂの埋立地まで移動して、この埋立地に廃棄物を投入する。この投入過程で、隣地の埋立予定地１ｃを掘削することにより新たな埋立地を形成する。
このように廃棄物の投入過程で、隣地の埋立予定地１ａ〜１ｄに埋立地を順次形成するようにし、廃棄物の投入と埋立地の新設とをほぼ同時に進めるようにしている。
【０００３】
【発明が解決しようとする課題】
しかしながら、このような廃棄物の処分方法によれば、処分場用地１には廃棄物を運搬して投入するためのダンプカー等の運搬車輌の他に、埋立予定地１ａ〜１ｄを掘削するための重機とか車輌が入り込まなければならないので、処分場用地１の内部が混在状態となり、場合によっては車輌あるいは重機同志の接触事故も起り得る。
また、埋立予定地１ｂ，１ｃ，１ｄを順次掘削するのであるが、この掘削は全体として長い年月を経て行われるために、資材，機材とか施工人員の調達を長い年月の期間に渡って逐次行わなければならないので、処分場建造の設計，予算等の計画性が立てにくい。
例えば、資材，人件費等は長い年月を経て高騰する場合もあるので、処分場全体の施工に要する予算が立てづらいという欠点を有している。
さらに、従来のように２本の平行なレール２，２の内側に埋立予定地１ａ〜１ｄを設ける方法によれば、処分場全体の外形が、図１４に示すように長辺形状等の矩形状とならざるを得ず、このため、処分場用地１が図１５の如く円形状となっている場合、この種の長辺形状の処分場をそのまま建造すると、処分場用地１内に処分場の存在しない無駄なスペース１ｍが生成されてしまい、そのスペース１ｍの分だけ廃棄物を捨てることができず、廃棄物の投入効率の悪い処分場となってしまう。
【０００４】
この発明は、上記課題を解決するためになされたもので、車輌，重機の混在状態が生じずに、かつ施工予算が立て易く、しかも略円形状の用地に適する廃棄物処分場を提供することを目的とする。
【０００５】
【課題を解決するための手段】
この請求項１に係る発明は、ほぼ円形状に形成された凹部に、半径方向に延長する複数の仕切り部を設けて、ほぼ扇状に区画された複数の埋立地を形成し、一個の埋立地を被う屋根部材を周方向に回動自在として、当該屋根部材で各埋立地を個別に被うように構成したものである。
【０００６】
この請求項２に係る発明は、上記凹部に、中央台を設け、この中央台と上記凹部の外周の上面とに上記屋根部材を周方向にガイドするガイド部材を設け、上記屋根部材には上記ガイド部材に沿って走行する走行部を設けたものである。
【０００７】
この請求項３に係る発明は、上記中央台には、上記埋立地から導かれる浸出水を貯留する貯留部を設けたものである。
【０００８】
この請求項４に係る発明は、上記貯留部は、各埋立地の浸出水を個別に貯留する複数の浸出水貯留部と、これ等浸出水貯留部に貯留された浸出水を一括して貯留する浸出水一括貯留部とから成るものである。
【０００９】
この請求項５に係る発明は、上記中央台の内に、小径と大径の中空管を２重に立設し、両中空管の間を半径方向に延長する複数の仕切板で区画することで、上記浸出水貯留部を形成し、上記小径の中空管の内径空間で上記浸出水一括貯留部を形成したものである。
【００１０】
【発明の実施の形態】
以下、この発明の実施の形態を図示例と共に説明する。
実施の形態１．
図１〜図１３は、本発明による廃棄物処分場の一例を示す簡略構成図であり、各図において、１０は円形状の廃棄物処分場であり、この廃棄物処分場１０は、ほぼ円形状の用地１０Ａの内側を円形に掘削して形成されるもので、この円形に掘削して形成された凹部１０Ｋの中央に円形状の中央台１１を設け、この中央台１１の外周より半径方向に複数の仕切り部１２を等角度で突出させることで、複数の扇形の埋立地１０ａ〜１０ｆを設けている。各埋立地１０ａ〜１０ｆは、中央台１１から離れるに従って幅広となり、平面形状が扇形となっており、深底の底面部１０ｍの側面及び内周部に法面１０ｎ，１０ｔが形成され、さらに外周部には途中個所に段部１０ｖ付きの、傾斜の緩やかな法面１０ｗが形成される。また、外周部中央には、法面部が底面部１０ｍの底面とほぼ面一の廃棄物投入穴１０ｘが形成され、この廃棄物投入穴１０ｘの側部及び外周部にも法面が形成される。
なお、図３（ａ）に示す如く、上記埋立地１０ａ〜１０ｆは、切土又は盛土により形成されるが、さらに法面１０ｗは、吹き付けによるモルタル層で覆われていてもよい。また、本実施例においては、上記廃棄物投入穴１０ｘの法面全体は、急勾配であるためにコンクリートの補強枠１３で補強してあるが、必ずしもコンクリートで補強する必要はなく、法面１０ｗと同様にモルタルを吹き付けてもよい。
上記仕切り部１２は図３（ｂ）に示すように盛土又は切土により断面台形状に形成された中枠１２ａの外周がモルタル層あるいはコンクリートの被覆層１２ｂで覆われているが、仕切り部１２全体をコンクリートで一体に形成してもよい。
なお、後述する遮水層に関しては、法面がコンクリートで覆われる場合には法面とコンクリート層の間に設けられるが、通常はモルタル層の上面に遮水シートが設けられたり、あるいは切土または盛土された法面の上に不敷布，遮水シートより成る遮水層が形成される。
【００１１】
中央台１１は図７に示すように、ジオテキスタイル等のシート材１１ａの上に土砂層１１ｂを積層したものを複数層に積層して外周の土砂くずれが生じないように形成され、かつシート材１１ａの先端にほぼ断面がＶ状のアンカー１１ｃの一片を取り付けて、法面１０ｔの補強を図っている。
図２，図３，図４に示すように、中央台１１の中央に縦置きの小径の中空管１１ｉが立設され、その外側に大径の中空管１１ｊが立設され、これ等中空管１１ｉと中空管１１ｊとの間を半径方向に延長する複数の仕切板１１ｍで区画されて、浸出水貯留部２０ａ〜２０ｆ及び散水用の貯水槽２０ｇが設けられる。この貯水槽２０ｇは、後述する散水設備３０ｔに水を供給する。なお、各浸出水貯留部２０ａ〜２０ｆは、各埋立地１０ａ〜１０ｆの内周側に対応する如く位置される。また、中空管１１ｉの内側空間に浸出水一括貯留部２１が形成され、この浸出水一括貯留部２１には浸出水排水路２４を介して浄化装置２３が接続される。なお、中空管１１ｉ，１１ｊは底板１１ｘの上に立てられる。
【００１２】
図４，図５に示す如く、各埋立地１０ａ〜１０ｆの内面全体には、遮水シート１４が敷設され、この遮水シート１４の上には浸出水集排水路１５が半径方向に延長する如く設けられ、この浸出水集排水路１５には複数本の分岐浸出水集排水路１６が埋立地１０ａ〜１０ｆの側部方向に延長する如く設けられ、この分岐浸出水集排水路１６の外側にはガス抜き路１７が法面１０ｎに沿って上方に延長する如く設けられる。上記ガス抜き路１７としては、浸出水集排水路１５の複数個所に、上方向に突出する如く図外のガス抜き管を接続することによっても形成される。
また、遮水シート１４の下面側には地下水集排水路１８及び分岐地下水集排水路１８ａが上記浸出水集排水路１５，分岐浸出水集排水路１６にほぼ対応する如く設けられる。
また、中央台１１の下部には、地下水貯留部２２が設けられ、この地下水貯留部２２には地下水集排水路１８を介して分岐地下水集排水路１８ａからの地下水が供給されて貯留された上で、図外のポンプを介して外部に排出され、処理される。
【００１３】
上記浸出水集排水路１５，分岐浸出水集排水路１６は図５，図６に示すように外周に多数の孔を有する集排水管１５ａを凹部１５ｂに設置し、その周りを砕石等のフィルター材１５ｃで埋めて構成される。遮水シート１４の上には砂，砂利等の保護土１９が設けられる。
また、上記地下水集排水路１８，分岐地下水集排水路１８ａは外周に多数の孔を有する集排水管１８ｋを凹部１８ｂに設置し、その周りを砕石等のフィルター材１８ｃで埋めて、蓋材１８ｄを被せて構成される。
【００１４】
以上の構成において、埋立地１０ａ〜１０ｆには廃棄物が投棄して収容されるが、その上には水が散水されて、これにより廃棄物よりしみ出した液状成分による浸出水ａが一定の水圧Ｐを有して滞留され、このように廃棄物よりしみ出したり、雨水が廃棄物を通過することにより汚染物質を含むことになった浸出水ａは、埋立地１０ａ〜１０ｆの底部方向に移行するが遮水シート１４によりブロックされるので、その底部の地中に漏洩してしみ込むことはない。
この浸出水ａは、浸出水集排水路１５，分岐浸出水集排水路１６のフィルター材１５ｃを経由して集排水管１５ａの複数の孔を介して集排水管１５ａの中に入り込み集水された後、浸出水集排水路１５の集排水路１５ａを介して浸出水貯留部２０ａ〜２０ｆに排水して貯留され、その後ポンプＰａ〜Ｐｆで排出された後、バルブＢａ〜Ｂｆを介して浸出水一括貯留部２１から浸出水排水路２４を経て浄化装置２３に供給されて浄化して処理される。集排水管１５ａには廃棄物より発生するガスも供給されるが、これは、ガス抜き路１７を介して外部に放流される。
なお、浸出水貯留部２０ａ〜２０ｆ内に雨水のみが供給される場合は、バルブＢａ〜Ｂｆの切換により、この雨水は浸出水一括貯留部２１には供給されず、直接外部に地下水とともに放流される。
埋立地１０ａ〜１０ｆの底部の地中の地下水ｂは、地下水集排水路１８，分岐地下水集排水路１８ａのフィルター材１８ｃを経由して集排水管１８ｋの複数の孔を介して集排水管１８ｋの中に入り込み、地下水集排水路１８で集水された後、地下水貯留部２２に貯留され、その後図外のポンプで排出される。
【００１５】
つぎに、各埋立地１０ａ〜１０ｆを被うドーム状の屋根部材３０について図８，図９を用いて説明する。屋根部材３０は、平面形状が埋立地１０ａ〜１０ｆより若干大きい程度の扇形を有し、全体形状がドーム状となって、上からの雨水はもちろんのこと、横からの風等も遮断することができるもので、図８に示す全体として扇形のドーム状となるように組まれた骨組３０ａの全体を、防水シート材で被って図１０に示すようにドーム状に形成される。この場合、図８の屋根部材３０の底部の外側及び内側の水平向きのパイプ製の骨材３０ｂには図９（ａ），（ｂ）に示すようにガイド部材としてのレールＬ１，Ｌ２上を走行する走行部３０ｃが設けられる。
各走行部３０ｃは、骨材３０ｂが嵌合される孔３０ｄを前，後の板材に有し、ほぼ逆台形となる箱状の支持枠３０ｅと、この支持枠３０ｅの下部の前，後に回転自在に取り付けられて、上記レールＬ１，Ｌ２上を走行するローラ３０ｆとより構成される。なお、支持枠３０ｅの側部には固定板３０ｈに取り付けられる固定枠３０ｇがボルト止めされてロックされ、屋根部材３０の不必要な移動が規制される。
上記レールＬ１は、図２，図３に示す如く上記埋立地１０ａ〜１０ｆの外周側上面の車輌走行道路１０Ｚの内側にリング状となるように設けられ、レールＬ２は中央台１１の上面の円状の道路１１Ｚに、リング状となるように設けられる。
【００１６】
このような構成によれば、屋根部材３０に一方の側面側からの押圧力を図外の動力で加えることにより走行部３０ｃを介してレールＬ１，Ｌ２上を走行できる。なお、この動力としては一部の走行部３０ｃに駆動モータを取り付けて自走するものでもよい。屋根部材３０が丁度必要とするいずれかの埋立地１０ａ〜１０ｆを被った位置で、図９の支持枠３０ｅを幾分ジャッキアップして固定枠３０ｇに支持枠３０ｅの側面を固定することで、屋根部材３０をロックできる。
上記屋根部材３０には図１０に示すように、排気ファン３０ｍ，内部監視カメラ３０ｎ，散水設備３０ｔとか温度センサ３０ｕ，ガス濃度センサ３０ｖあるいは給気ファン３０ｘ，外部監視カメラ３０ｙ等が付属される。
【００１７】
以上の構成によれば、まず、埋立地１０ａに廃棄物を投入する場合は、この埋立地１０ａを屋根部材３０で被ってロックした状態で、屋根部材３０の外側に設けられたドア３０ｗを開いて、ここからダンプカー等で廃棄物を廃棄物投入穴１０ｘ側に投棄する。この投棄の過程では、散水設備３０ｔにより廃棄物の上に散水される。このとき、浸出水ａが発生するが、これは浸出水集排水路１５，分岐浸出水集排水路１６を経て浸出水貯留部２０ａに集められ、ポンプＰａで浸出水一括貯留部２１に一括されてから、浸出水排水路２４を経て浄化装置２３に送られ、ここで浄化処理される。
一方、埋立地１０ｂ〜１０ｆは空きの状態であり、雨水だけが溜まることになるが、この雨水は一担浸出水貯留部２０ｂ〜２０ｆに貯留された後、ポンプＰｂ〜ＰｆからバルブＢｂ〜Ｂｆを経て、外部に放水される。
【００１８】
埋立地１０ａの埋立てが完了すると、走行部３０ｃから固定枠３０ｇを外してフリーな状態とし、屋根部材３０を図外の動力により埋立地１０ｂの上まで移動させてから、固定枠３０ｇを取り付けてロックし、再び埋立地１０ｂに廃棄を行う。
このようにして順次埋立地１０ａ〜１０ｆについて屋根部材３０を被せながら投棄を行う。
なお、埋立てが完了し、屋根部材３０が外された埋立地１０ａについては雨水にさらされるが、長年月を経ることで次第に、ガス濃度，内部温度，浸出水ａの水質が安全値に達することになる。安全値に達して、無害化が確認されると、埋立地１０ａの上を通常に敷地として活用でき、公園とか家屋等の建設も可能となる。安全値に達するまでは、浸出水は浸出水貯留部２０ａから浸出水一括貯留部２１を経て浄化装置２３で浄化処理されるが、安全値に達すると、バルブＢａの切換で、外部に放流される。
なお、本発明においては、浸出水貯留部２０ａ〜２０ｆ及び浸出水一括貯留部２１は中央台１１に設けるとして説明したが、図１１に示すように浸出水貯留部２０ａ〜２０ｆを埋立地１０ａ〜１０ｆの外側に設け、排出路４０を介して浸出水一括貯留部２１に排水するようにしてもよい。この場合、バルブＢａ〜Ｂｆを介して雨水等は放水される。
また、仕切り部１２を等角度で突出させたが、仕切り部１２を中央台１１の外周より半径方向に任意の角度で突出させるようにしてもよい。この場合の屋根部材３０は、一部に蛇腹状の伸縮部を設けるか、又は開閉ドームの屋根のように複数枚の屋根部材がスライドして重なり合うようにしてもよく、いずれにしても屋根の広がりが調整可能となるような機構を設けてもよい。
【００１９】
なお、埋立地１０ａ〜１０ｆの底面部１０ｍの構造としては図１２に示すように、埋立地１０ａ〜１０ｆの底部の基礎地盤５０と保護土１９との間に遮水シート１４Ａ，１４Ｂを上，下に２層に設けるようにしてもよい。この場合、上，下の両遮水シート１４Ａ，１４Ｂ間に一定厚みのベントナイト混合土１４ｍが介在され、また、下の遮水シート１４Ａの下面側に不織布１４ｎが、その上面側に、浸出水漏水検出用の面電極（例えばアルミシート）付き不織布１４ｔが設けられ、また、上の遮水シート１４Ｂの下面側にベントナイト付き不織布１４ｕが、その上面側に不織布１４ｗが敷設される。下部の不織布１４ｎは基礎地盤５０から遮水シート１４Ａを保護し、ベントナイト混合土１４ｍは浸出水の地下水接触防止及び拡散防止のためであり、ベントナイト付き不織布１４ｕはベントナイト混合土１４ｍの土質材料に現地発生土を使用する場合、粒径が大きい土塊、礫等を完全に排除できないため、混合土と遮水シート１４Ｂの密着性の確保、遮水シート１４Ｂの保護のために設ける。上の不織布１４ｗは保護土１９から遮水シート１４Ｂを保護するために設ける。
【００２０】
また、中央台１１の外周の法面には図１３に示すように一定厚みのモルタル吹付け層１１ｄを、その上にベントナイト付き不織布１１ｅを、その上に遮水シート１１ｆを、その上に不織布１１ｇを設けることにより、構成してもよい。
上記モルタル吹付け層１１ｄは、補強盛土部はジオテキスタイル材より成るシート材１１ａの端末部が法面に現れて平滑な仕上げ面とならないので、平滑化のための下地処理の目的で行うものである。
ベントナイト付き不織布１１ｅはモルタル吹付け層１１ｄの基盤面から遮水シート１１ｆを保護するためと、シート破損時に自己修復が行える目的で設ける。上の不織布１１ｇは遮水シート１１ｆを紫外線，熱劣化から保護し、また表面を平滑に保って積雪しにくくするものである。
【００２１】
【発明の効果】
以上説明したように、第１の発明によれば、ほぼ円形状に形成された凹部に、半径方向に延長する複数の仕切り部を設けて、ほぼ扇状に区画された複数の埋立地を形成し、一個の埋立地を被う屋根部材を周方向に回動自在として、当該屋根部材で各埋立地を個別に被うように構成したので、全埋立地を一括して施工して完成できるので、建造及び施工用の運搬車輌が処分場に入り込むことがなく、処分場内の混雑を防ぐことができ、また資材，人件費等の予算計画が立て易く、しかも処分場用地がほぼ円形状となっている場合には、この用地に対応無駄なスペースを発生させることがない。
【００２２】
第２の発明によれば、上記凹部に、中央台を設け、この中央台と上記凹部の外周の上面とに上記屋根部材を周方向にガイドするガイド部材を設け、上記屋根部材には上記ガイド部材に沿って走行する走行部を設けたので、屋根部材の周方向へのガイドをあまり大きな力を要せずスムーズに行える。
【００２３】
第３ないし第５の発明によれば、中央台に浸出水を貯留する貯留部を設けたので、この貯留部を設置する用地を埋立地の外に確保する必要がないので、用地スペースの有効活用が可能となる。
【図面の簡単な説明】
【図１】  この発明の一実施の形態を示す平面図である。
【図２】  この発明の一実施の形態を示す平面図である。
【図３】  この発明の一実施の形態を示す断面図である。
【図４】  この発明の一実施の形態を示す断面図である。
【図５】  この発明の一実施の形態を示す断面図である。
【図６】  この発明の一実施の形態を示す断面図である。
【図７】  この発明の一実施の形態を示す断面図である。
【図８】  この発明の一実施の形態を示す斜視図である。
【図９】  この発明の一実施の形態を示す断面図，斜視図である。
【図１０】  この発明の一実施の形態を示す断面図である。
【図１１】  この発明の一実施の形態を示す略図である。
【図１２】  この発明の一実施の形態を示す断面図である。
【図１３】  この発明の一実施の形態を示す断面図である。
【図１４】  従来例を示す簡略図である。
【図１５】  従来例を示す簡略図である。
【符号の説明】
１０  廃棄物処分場、１０ａ〜１０ｆ  埋立地、１０ｘ  廃棄物投入穴、１１中央台、１２  仕切り部、２０ａ〜２０ｆ  浸出水貯留部、２１  浸出水一括貯留部、２３  浄化装置、３０  屋根部材。
【図１】
0004188522.tif 000002
【図２】
0004188522.tif 000003
【図３】
0004188522.tif 000004
【図４】
0004188522.tif 000005
【図５】
0004188522.tif 000006
【図６】
0004188522.tif 000007
【図７】
0004188522.tif 000008
【図８】
0004188522.tif 000009
【図９】
0004188522.tif 000010
【図１０】
0004188522.tif 000011
【図１１】
0004188522.tif 000012
【図１２】
0004188522.tif 000013
【図１３】
0004188522.tif 000014
【図１４】
0004188522.tif 000015
【図１５】
0004188522.tif 000016